(57)【特許請求の範囲】
【請求項１】
被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置であって、
前記ライブビュー表示中に前記画像の更新周期及びゲイン及び絞り値の少なくともいずれかを使用者が設定するための操作手段と、
静止画の撮影を指示する撮影指示手段と、
前記撮影指示手段による撮影の指示を受けて測光を行う測光手段と、
前記測光手段による測光の結果、被写体の輝度が予め設定された輝度よりも低いかどうかを判断する判断手段と、
前記判断手段により低いと判断された場合に、前記操作手段を介して設定された更新周期及びゲイン及び絞り値に基づいて静止画撮影時の露出制御を行い、低くないと判断された場合には、前記測光手段により得られた測光結果に基づいて静止画撮影時の露出制御を行う露出制御手段と
を有することを特徴とする撮像装置。
【請求項２】
前記露出制御手段は、シャッタースピード、絞り値、ゲインの少なくともいずれかを制御することを特徴とする請求項１に記載の撮像装置。
【請求項３】
前記ライブビュー表示中に用いられたゲイン、絞り値、更新周期に基づいて、静止画撮影に用いる露出値を演算する演算手段を更に有し、
前記露出制御手段は、被写体の輝度が予め設定された輝度よりも低いと判断された場合に、前記演算手段により演算された露出値に基づいて静止画撮影時の露出制御を行うことを特徴とする請求項１または２に記載の撮像装置。
【請求項４】
被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置であって、
前記ライブビュー表示中に前記画像の更新周期及びゲイン及び絞り値の少なくともいずれかを使用者が設定するための操作手段と、
静止画の撮影を指示する撮影指示手段と、
前記撮影指示手段による撮影の指示を受けて測光を行う測光手段と、
前記測光手段による測光の結果、被写体の輝度が予め設定された輝度よりも低いかどうかを判断する判断手段と、
前記判断手段により低いと判断された場合に、前記操作手段を介して設定された更新周期及びゲイン及び絞り値に基づいて静止画撮影に用いる露出値を演算し、低くないと判断された場合には、前記測光手段により得られた測光結果に基づいて静止画撮影に用いる露出値を演算する第１の演算手段と、
前記表示手段に前記第１の演算手段の演算結果を表示させる表示制御手段と
を有することを特徴とする撮像装置。
【請求項５】
前記第１の演算手段は、露出値を構成する、シャッタースピード、絞り値、ゲインの少なくともいずれかを演算することを特徴とする請求項４に記載の撮像装置。
【請求項６】
前記ライブビュー表示中に用いられたゲイン、絞り値、更新周期に基づいて、静止画撮影に用いる露出値を演算する第２の演算手段を更に有し、
前記第１の演算手段は、被写体の輝度が予め設定された輝度よりも低いと判断された場合に、前記第２の演算手段により演算された露出値に基づいて静止画撮影に用いる露出値を演算することを特徴とする請求項４または５に記載の撮像装置。
【請求項７】
前記更新周期はシャッタースピードより低速であることを特徴とする請求項１乃至６のいずれか１項に記載の撮像装置。
【請求項８】
被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置の制御方法であって、
前記ライブビュー表示中に、使用者の指示に従って前記画像の更新周期及びゲイン及び絞り値の少なくともいずれかを設定する設定工程と、
静止画の撮影指示を受けて、測光を行う測光工程と、
前記測光工程における測光の結果、被写体の輝度が予め設定された輝度よりも低いかどうかを判断する判断工程と、
前記判断工程により低いと判断された場合には、前記設定工程で設定された更新周期及びゲイン及び絞り値に基づいて静止画撮影時の露出制御を行い、低くないと判断された場合には、前記測光工程で得られた測光結果に基づいて静止画撮影時の露出制御を行う露出制御工程と
を有することを特徴とする制御方法。
【請求項９】
被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置の制御方法であって、
前記ライブビュー表示中に、使用者の指示に従って前記画像の更新周期及びゲイン及び絞り値の少なくともいずれかを設定する設定工程と、
静止画の撮影指示を受けて、測光を行う測光工程と、
前記測光工程における測光の結果、被写体の輝度が予め設定された輝度よりも低いかどうかを判断する判断工程と、
前記判断工程により低いと判断された場合には、前記設定工程で設定された更新周期及びゲイン及び絞り値に基づいて静止画撮影に用いる露出値を演算し、低くないと判断された場合には、前記測光工程で得られた測光結果に基づいて静止画撮影に用いる露出値を演算する演算工程と、
前記表示手段に前記演算工程の演算結果を表示させる表示制御工程と
を有することを特徴とする制御方法。
【発明の詳細な説明】
【技術分野】
【０００１】
本発明は撮像装置及びその制御方法に関し、特に、所定周期で撮影された画像を逐次表示するライブビュー表示を行う撮像装置及びその制御方法に関する。
【背景技術】
【０００２】
従来、この種の撮像装置として、固体メモリ素子を有するメモリカードを記録媒体とし、ＣＣＤセンサ、ＣＭＯＳセンサ等の固体撮像素子で撮像した静止画像を記録・再生する電子カメラ等の撮像装置が既に市販されている。
【０００３】
静止画撮影を行うために、被写体の明るさを測定しシャッタースピードを演算する測光装置や、撮影領域の確認や被写体のピント調整および確認を行うために、ビューファインダー表示機能を有するものが一般的である。
【０００４】
また、ファインダー表示には光学的、または電子的なものがある。
【０００５】
近年、電子ビューファインダー、いわゆるライブビュー機能を搭載した撮像装置によって、撮影画面の部分的な拡大表示によりピント合わせがしやすくなり、電子カメラの使用者にとって有益な機能となっている。
【０００６】
しかしながら、上記従来の電子カメラ等の撮像装置は、従来の測光装置では動作範囲外の低輝度な被写体の明るさにおける撮影では、適切なカメラパラメータを設定するのは困難であった。
【０００７】
具体的には、夜景撮影や天体撮影などでは、使用者が意図する露出となるシャッタースピードの設定は使用者の経験や撮影を繰り返しながら設定する方法しかなく、困難であった。
【０００８】
またライブビュー表示でのゲイン設定も静止画撮影で設定できるゲインと同じであるため、動画においては被写体を十分認識できる表示ができなかった。また、ライブビュー表示で確認された画像の露出と静止画像撮影で露出は別制御であるため、ライブビュー表示の情報が活かされないなどの問題があった。
【０００９】
上記問題に対し、露出値やシャッタースピードなどの露出制御パラメータをマニュアル設定して本撮影を行う場合に、本撮影に先だって、本撮影に用いる露出制御パラメータを反映させたライブビューを行うものが提案されている（例えば、特許文献１参照）。
【００１０】
【特許文献１】特開２００４−０９６３９２号公報
【発明の開示】
【発明が解決しようとする課題】
【００１１】
しかしながら、本撮影前に本撮影に用いる露出制御パラメータを用いて撮影したライブビューを表示するが、本撮影に適した露出制御パラメータで撮影した画像が、必ずしもライブビュー表示に適しているとは限らない。また、撮影する画像をより快適に観察するためにライブビュー表示を見ながら、ライブビュー表示に適するように露出制御パラメータを変更することもできなかった。
【００１２】
本発明は上記問題点を鑑みてなされたものであり、ライブビュー表示される画像を撮影者が所望する明るさで表示できるようにすると共に、より好ましい露光状態の画像を撮影できるようにすることを目的とする。
【課題を解決するための手段】
【００１３】
上記目的を達成するために、本発明に係る撮像装置は、被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置であって、前記ライブビュー表示中に前記画像の更新周期及びゲイン及び絞り値の少なくともいずれかを使用者が設定するための操作手段と、静止画の撮影を指示する撮影指示手段と、前記撮影指示手段による撮影の指示を受けて測光を行う測光手段と、前記測光手段による測光の結果、被写体の輝度が予め設定された輝度よりも低いかどうかを判断する判断手段と、前記判断手段により低いと判断された場合に、前記操作手段を介して設定された更新周期及びゲイン及び絞り値に基づいて静止画撮影時の露出制御を行い、低くないと判断された場合には、前記測光手段により得られた測光結果に基づいて静止画撮影時の露出制御を行う露出制御手段とを有することを特徴とする。
【００１４】
また、上記目的を達成するために、本発明に係る撮像装置の制御方法は、被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置の制御方法であって、前記ライブビュー表示中に、使用者の指示に従って前記画像の更新周期及びゲイン及び絞り値の少なくともいずれかを設定する設定工程と、静止画の撮影指示を受けて、測光を行う測光工程と、前記測光工程における測光の結果、被写体の輝度が予め設定された輝度よりも低いかどうかを判断する判断工程と、前記判断工程により低いと判断された場合には、前記設定工程で設定された更新周期及びゲイン及び絞り値に基づいて静止画撮影時の露出制御を行い、低くないと判断された場合には、前記測光工程で得られた測光結果に基づいて静止画撮影時の露出制御を行う露出制御工程とを有することを特徴とする。
【００１５】
また、上記目的を達成するために、本発明に係る撮像装置は、被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置であって、前記ライブビュー表示中に前記画像の更新周期及びゲイン及び絞り値の少なくともいずれかを使用者が設定するための操作手段と、静止画の撮影を指示する撮影指示手段と、前記撮影指示手段による撮影の指示を受けて測光を行う測光手段と、前記測光手段による測光の結果、被写体の輝度が予め設定された輝度よりも低いかどうかを判断する判断手段と、前記判断手段により低いと判断された場合に、前記操作手段を介して設定された更新周期及びゲイン及び絞り値に基づいて静止画撮影に用いる露出値を演算し、低くないと判断された場合には、前記測光手段により得られた測光結果に基づいて静止画撮影に用いる露出値を演算する第１の演算手段と、前記表示手段に前記第１の演算手段の演算結果を表示させる表示制御手段とを有することを特徴とする。
【００１６】
また、上記目的を達成するために、本発明に係る撮像装置の制御方法は、被写体光学像を画像信号に変換する撮像素子と、前記撮像素子から出力された画像信号に基づく画像を表示する表示手段とを有し、前記撮像素子から予め設定された周期で出力される画像信号に基づく画像を前記表示手段に逐次表示するライブビュー表示を行う撮像装置の制御方法であって、前記ライブビュー表示中に、使用者の指示に従って前記画像の更新周期及びゲイン及び絞り値の少なくともいずれかを設定する設定工程と、静止画の撮影指示を受けて、測光を行う測光工程と、前記測光工程における測光の結果、被写体の輝度が予め設定された輝度よりも低いかどうかを判断する判断工程と、前記判断工程により低いと判断された場合には、前記設定工程で設定された更新周期及びゲイン及び絞り値に基づいて静止画撮影に用いる露出値を演算し、低くないと判断された場合には、前記測光工程で得られた測光結果に基づいて静止画撮影に用いる露出値を演算する演算工程と、前記表示手段に前記演算工程の演算結果を表示させる表示制御工程とを有することを特徴とする。
【発明の効果】
【００１７】
ライブビュー表示される画像を撮影者が所望する明るさで表示できるようにすると共に、より好ましい露光状態の画像を撮影できるようにすることができる。
【発明を実施するための最良の形態】
【００１８】
以下、添付図面を参照して本発明を実施するための最良の形態を詳細に説明する。
【００１９】
図１は、本発明の実施の形態における画像処理機能を有する撮像装置の構成を示すブロック図である。本実施の形態においては、撮像装置としてデジタルカメラを例にとって説明する。なお撮像装置としては、他にデジタルビデオカメラ、カメラ付き携帯端末（カメラ付き携帯電話を含む）、スキャナ等があり、被写体光学像を変換して電気的な画像信号を出力可能なものであれば、本発明を適用することが可能である。
【００２０】
図１に示すように、本実施の形態の撮像装置は、主にカメラ本体１００と、交換レンズタイプのレンズユニット３００により構成されている。
【００２１】
レンズユニット３００において、３１０は複数のレンズから成る撮像レンズ、３１２は絞り、３０６は、レンズユニット３００をカメラ本体１００と機械的に結合するレンズマウントである。レンズマウント３０６内には、レンズユニット３００をカメラ本体１００と電気的に接続する各種機能が含まれている。３２０は、レンズマウント３０６において、レンズユニット３００をカメラ本体１００と接続するためのインタフェース、３２２はレンズユニット３００をカメラ本体１００と電気的に接続するコネクタである。
【００２２】
コネクタ３２２は、カメラ本体１００とレンズユニット３００との間で制御信号、状態信号、データ信号などを伝え合うと共に、各種電圧の電流を供給されるあるいは供給する機能も備えている。また、コネクタ３２２は電気通信のみならず、光通信、音声通信などを伝達する構成としても良い。
【００２３】
３４０は測光制御部４６からの測光情報に基づいて、後述するカメラ本体１００のシャッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【００２４】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発メモリも備えている。
【００２５】
次に、カメラ本体１００の構成について説明する。
【００２６】
１０６はカメラ本体１００とレンズユニット３００を機械的に結合するレンズマウント、１３０、１３２はミラーで、撮像レンズ３１０に入射した光線を一眼レフ方式によって光学ファインダー１０４に導く。なお、ミラー１３０はクイックリターンミラーの構成としても、ハーフミラーの構成としても、どちらでも構わない。１２は絞り機能を備えるシャッター、１４は光学像を電気信号に変換する撮像素子である。撮像レンズ３１０に入射した光線は、一眼レフ方式によって光量制限手段である絞り３１２、レンズマウント３０６および１０６、ミラー１３０、シャッター１２を介して導かれ、光学像として撮像素子１４上に結像する。
【００２７】
１６は、撮像素子１４から出力されるアナログ信号をデジタル信号に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２８】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。更に、得られた演算結果に基づいてシステム制御回路５０がシャッター制御部４０、焦点調節部４２を制御するための、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２９】
なお、本実施の形態における図１に示す例では、焦点調節部４２および測光制御部４６を専用に備えているので、システム制御回路５０は、焦点調節部４２および測光制御部４６を用いてＡＦ処理、ＡＥ処理、ＥＦ処理の各処理を行っても良い。また、画像処理回路２０を用いてＡＦ処理、ＡＥ処理、ＥＦ処理の各処理を行わない構成としても構わない。また、焦点調節部４２および測光制御部４６を用いてＡＦ処理、ＡＥ処理、ＥＦ処理の各処理を行い、さらに、画像処理回路２０を用いてＡＦ処理、ＡＥ処理、ＥＦ処理の各処理を行う構成としてもよい。
【００３０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００３１】
２４は画像表示メモリ、２６はＤ／Ａ変換器、２８はＴＦＴ方式のＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能（ライブビュー）を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００３２】
３０は撮影した静止画像や動画像を格納するためのメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００３３】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００３４】
４０はシャッター制御部であり、測光制御部４６からの測光情報に基づいて絞り３１２を制御する絞り制御部３４０と連携しながらシャッター１２を制御する。４２はＡＦ（オートフォーカス）処理を行うための焦点調節部である。レンズユニット３００内の撮像レンズ３１０に入射した光線を絞り３１２、レンズマウント３０６、１０６、ミラー１３０および焦点調節用サブミラー（図示せず）を介して一眼レフ方式で入射することにより、光学像として結像された画像の合焦状態を測定する。
【００３５】
４４は温度計であり、撮影環境における周囲温度を検出する。温度計が撮像素子（センサ）１４内にある場合、センサの暗電流をより正確に予想することが可能である。
【００３６】
４６はＡＥ（自動露出）処理を行うための測光制御部である。
【００３７】
レンズユニット３００内の撮影光学系３１０に入射した光線を、絞り３１２、レンズマウント３０６、１０６、ミラー１３０および測光用サブミラー（図示せず）を介して一眼レフ方式で入射することにより、光学像として結像された画像の露出状態を測定する。４８はフラッシュであり、ＡＦ補助光の投光機能、フラッシュ調光機能も有する。測光制御部４６はフラッシュ部４８と連携することにより、ＥＦ（フラッシュ調光）処理機能も有する。
なお、前述したように、Ａ／Ｄ変換器１６からの画像データを用いて画像処理回路２０により演算された演算結果に基づいて露出制御およびＡＦ制御を行っても良い。その場合、システム制御回路５０がシャッター制御部４０、絞り制御部３４０、フォーカス制御部３４２に対し、ビデオＴＴＬ方式を用いた露出制御およびＡＦ制御を行うことが可能である。
【００３８】
また、焦点調節部４２による焦点調節結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００３９】
５０はカメラ本体１００全体を制御するシステム制御回路であり、周知のＣＰＵなどを内蔵する。５２はシステム制御回路５０の動作用の定数、変数、プログラム等を記憶するメモリである。
【００４０】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、カメラ本体１００の操作部７０近辺の、視認しやすい、単数あるいは複数箇所に設置されている。また、通知部５４は、その一部の機能が光学ファインダー１０４内に設置されている。
【００４１】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示がある。更に、レンズユニット３００の着脱状態表示、通信Ｉ／Ｆ動作表示、日付・時刻表示、外部コンピュータとの接続状態を示す表示等も行われる。
【００４２】
また、通知部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッタースピード表示、絞り値表示、露出補正表示、記録媒体書き込み動作表示等である。
【００４３】
さらに、通知部５４の表示内容のうち、ＬＥＤ等により表示するものとしては、例えば、以下のものがある。合焦表示、撮影準備完了表示、手振れ警告表示、フラッシュ充電表示、フラッシュ充電完了表示、記録媒体書き込み動作表示、マクロ撮影設定通知表示、二次電池充電表示等である。
【００４４】
また、通知部５４の表示内容のうち、ランプ等に表示するものとしては、例えば、セルフタイマー通知ランプ等がある。このセルフタイマー通知ランプはＡＦ補助光と共用してもよい。
【００４５】
５６は後述するプログラムなどが格納された電気的に消去・記録可能な不揮発性メモリであり、例えばＥＥＰＲＯＭ等が用いられる。この不揮発性メモリ５６には、各種パラメータやＩＳＯ感度などの設定値、設定モード、および列方向のダークシェーディング補正を行う際に用いる１次元シェーディング補正データが格納される。この１次元シェーディング補正データは、生産工程において、調整時に作成されて書き込まれる。この１次元シェーディング補正データの作成方法としては、例えばダーク撮影を行って得られた画像を射影演算することにより、主に垂直１列分のデータとする方法等が考えられる。
【００４６】
６０、６２、６４、６６、６８及び７０は、システム制御回路５０の各種の動作指示を入力するための操作手段である。そして、スイッチやダイアル、タッチパネル、視線検知によるポインティング、音声認識装置等の単数或いは複数の組み合わせで構成される。
【００４７】
ここで、これらの操作手段の具体的な説明を行う。
【００４８】
６０はモードダイアルスイッチで、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。また、後述するライブビューモードに切り換える機能を有する。
【００４９】
６２はシャッタースイッチＳＷ１で、不図示のシャッターボタンの操作途中（例えば半押し）でＯＮとなり、ＡＦ処理、ＡＥ処理、ＡＷＢ処理、ＥＦ処理等の動作開始を指示する。
【００５０】
６４はシャッタースイッチＳＷ２で、不図示のシャッターボタンの操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、記録処理では、メモリ３０から画像データを読み出し、圧縮・伸張回路３２で圧縮を行い、記録媒体２００あるいは２１０に画像データを書き込む。
【００５１】
６６は再生スイッチであり、撮影モード状態で撮影した画像をメモリ３０あるいは記録媒体２００、２１０から読み出して画像表示部２８に表示する再生動作の開始を指示する。再生スイッチ６６は、再生モード、マルチ画面再生・消去モード、ＰＣ接続モード等の各機能モードを設定可能である。
【００５２】
６８は単写／連写スイッチであり、シャッタースイッチＳＷ２（６４）を押した場合、１コマの撮影を行って待機状態とする単写モードと、シャッタースイッチＳＷ２（６４）を押している間、連続して撮影を行い続ける連写モードとを設定可能である。
【００５３】
６９はＩＳＯ感度設定スイッチであり、撮像素子１４あるいは画像処理回路２０におけるゲインの設定を変更することにより、ＩＳＯ感度を設定することができる。
【００５４】
７０は各種ボタンやタッチパネルなどから成る操作部である。
【００５５】
一例として、メニューボタン、セットボタン、マクロボタン、マルチ画面再生改ページボタン、フラッシュ設定ボタン、単写／連写／セルフタイマー切り換えボタン、メニュー移動＋（プラス）ボタン、メニュー移動−（マイナス）ボタンを含む。
更に、再生画像移動＋（プラス）ボタン、再生画像移動−（マイナス）ボタン、撮影画質選択ボタン、露出補正ボタン、日付／時間設定ボタンなども含む。
なお、上記プラスボタンおよびマイナスボタンの各機能は、回転ダイアルスイッチを備えることによって、より軽快に数値や機能を選択することが可能となる。
また、ライブビュー表示を確認しながら、操作部７０の操作をすることで、ライブビュー表示中にシャッタースピードやゲインや絞り値を設定することができる。
他に、パノラマモード等の撮影および再生を実行する際に各種機能の選択および切り替えを設定する選択／切り替えボタン、パノラマモード等の撮影および再生を実行する際に各種機能の決定および実行を設定する決定／実行ボタンがある。また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＣＣＤＲＡＷモードを選択するためのスイッチである圧縮モードスイッチがある。また、
【００５６】
また、ワンショットＡＦモードとサーボＡＦモードとを設定可能なＡＦモード設定スイッチなどがある。ワンショットＡＦモードでは、シャッタースイッチＳＷ１（６２）を押した際にオートフォーカス動作を開始し、一旦合焦した場合、その合焦状態を保ち続ける。サーボＡＦモードでは、シャッタースイッチＳＷ１（６２）を押している間、連続してオートフォーカス動作を続ける。
【００５７】
７２は電源スイッチであり、カメラ本体１００の電源オン、電源オフの各モードを切り替え設定可能である。また、カメラ本体１００に接続されたレンズユニット３００、外部フラッシュ、記録媒体２００、２１０等の各種付属装置の電源オン、電源オフの設定も合わせて切り替え設定可能である。
【００５８】
８０は電源制御部で、電池検出回路、ＤＣ‐ＤＣコンバータ、通電するブロックを切り換えるスイッチ回路等により構成されている。電源制御部８０は、電池の装着の有無、電池の種類、電池残量の検出を行い、検出結果及びシステム制御回路５０の指示に基づいてＤＣ‐ＤＣコンバータを制御し、必要な電圧を必要な期間、記録媒体を含む各部へ供給する。
【００５９】
８２、８４はコネクタ、８６はアルカリ電池やリチウム電池等の一次電池やＮｉＣｄ電池やＮｉＭＨ電池、Ｌｉ‐ｉｏｎ電池、Ｌｉポリマー電池等の二次電池、ＡＣアダプター等からなる電源部である。
【００６０】
９０及び９４はメモリカードやハードディスク等の記録媒体とのインタフェース、９２及び９６はメモリカードやハードディスク等の記録媒体と接続を行うコネクタである。９８はコネクタ９２及び／或いは９６に記録媒体２００或いは２１０が装着されているか否かを検知する記録媒体着脱検知回路である。
【００６１】
なお、本実施の形態では記録媒体を取り付けるインタフェース及びコネクタを２系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００６２】
インタフェース及びコネクタとしては、種々の記憶媒体の規格に準拠したものを用いて構成することが可能である。例えば、ＰＣＭＣＩＡ（Personal Computer Memory Card International Association）カードやＣＦ（コンパクトフラッシュ（登録商標））カード、ＳＤカード等である。インタフェース９０及び９４、そしてコネクタ９２及び９６をＰＣＭＣＩＡカードやＣＦ（登録商標）カード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００６３】
１０４は光学ファインダーであり、撮像レンズ３１０に入射した光線を、一眼レフ方式によって、絞り３１２、レンズマウント３０６、１０６、ミラー１３０、１３２を介して導き、光学像として結像させて表示することが可能である。これにより、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００６４】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０によりカメラ本体１００を他の機器と接続するコネクタ或いは無線通信の場合はアンテナである。
【００６５】
１２０はレンズマウント１０６内でカメラ本体１００をレンズユニット３００と接続するためのインタフェースである。
【００６６】
１２２はカメラ本体１００をレンズユニット３００と電気的に接続するコネクタである。また、レンズマウント１０６及び／またはコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。また、コネクタ１２２は電気通信だけでなく、光通信、音声通信などを伝達する構成としてもよい。
【００６７】
２００及び２１０はメモリカードやハードディスク等の記録媒体である。この記録媒体２００及び２１０は、それぞれ、半導体メモリや磁気ディスク等から構成される記録部２０２及び２１２、カメラ本体１００とのインタフェース２０４及び２１４、カメラ本体１００と接続を行うコネクタ２０６及び２１６を備えている。
【００６８】
記録媒体２００及び２１０としては、ＰＣＭＣＩＡカードやコンパクトフラッシュ（登録商標）等のメモリカード、ハードディスク等を用いることができる。また、マイクロＤＡＴ、光磁気ディスク、ＣＤ‐ＲやＣＤ‐ＷＲ等の光ディスク、ＤＶＤ等の相変化型光ディスク等で構成されていても勿論構わない。
【００６９】
なお、本実施の形態における撮像装置として、レンズ交換式の一眼レフタイプのデジタルカメラであるものとして説明したが、レンズや鏡筒が本体と一体化された、いわゆるデジタルコンパクトカメラなどであってもよい。
【００７０】
次に、図２乃至図８を参照して、本発明の実施の形態における上記構成を有する撮像装置の動作を説明する。
【００７１】
図２及び図３は本実施の形態の撮像装置の主ルーチンのフローチャートである。この処理プログラムは不揮発メモリ５６などの記憶媒体に格納されており、メモリ５２にロードされてシステム制御回路５０内のＣＰＵによって実行される。
【００７２】
図２において、電池交換等の電源投入により、システム制御回路５０はフラグや制御変数等を初期化し、カメラ本体１００の各部に対して必要な所定の初期設定を行う（ステップＳ１０１）。次に、システム制御回路５０は電源スイッチ７２の設定位置を確認し、電源スイッチ７２が電源ＯＦＦに設定されているか否かを判別する（ステップＳ１０２）。
【００７３】
電源スイッチ７２が電源ＯＦＦに設定されている場合、各表示部の表示を終了状態に変更し、フラグや制御変数などを含む必要なパラメータや設定値、設定モードを不揮発性メモリ５６に記録する。更に、電源制御部８０により画像表示部２８を含むカメラ本体１００各部の不要な電源を遮断する等の所定の終了処理を行った後（ステップＳ１０３）、ステップＳ１０２に戻る。
【００７４】
一方、電源スイッチ７２が電源ＯＮに設定されていた場合、システム制御回路５０は電源制御部８０により電池などの電源８６の残容量や動作状況がカメラ本体１００の動作に問題があるか否かを判別する（ステップＳ１０４）。問題があると判別された場合、通知部５４を用いて画像や音声により所定の警告を行った後（ステップＳ１０５）、ステップＳ１０２に戻る。
【００７５】
一方、電源８６に問題が無いと判別された場合、システム制御回路５０はモードダイアルスイッチ６０の設定位置を判断し、モードダイアルスイッチ６０の設定位置を判別する（ステップＳ１０６）。モードダイアルスイッチ６０がライブビューモードに設定されている場合、ライブビュー表示を実行する（ステップＳ１１０）。なお、ステップＳ１１０で行われるライブビュー表示は、図４を参照して詳細に後述する。また、撮影モードとライブビューモード以外のその他のモードに設定されている場合、システム制御回路５０は選択されたモードに応じた処理を実行し（ステップＳ１０７）、実行後にステップＳ１０２に戻る。
【００７６】
一方、モードダイアルスイッチ６０が撮影モードに設定されている場合、ステップＳ１０８に進み、記録媒体２００、２０１が装着されているか否かの判断、記録媒体２００、２０１に記録された画像データの管理情報の取得を行う。更に、記録媒体２００、２０１の動作状態がカメラ本体１００の動作、特に記録媒体に対する画像データの記録再生動作に問題があるか否かを判別する。問題があると判別された場合、通知部５４を用いて画像や音声により所定の警告を行った後（ステップＳ１０５）、ステップＳ１０２に戻る。
【００７７】
一方、ステップＳ１０８で問題がないと判別された場合、システム制御回路５０は通知部５４を用いて画像や音声によりカメラ本体１００の各種設定状態の表示を行って（ステップＳ１０９）、図３のステップＳ１１３に進む。ここで、画像表示部２８の画像表示スイッチがＯＮである場合、画像表示部２８を用いて画像や音声によりカメラ本体１００の各種設定状態を表示するようにしてもよい。
【００７８】
ステップＳ１１３において、シャッタースイッチＳＷ１（６２）が押されているか否かを判別し、シャッタースイッチＳＷ１（６２）が押されていない場合、ステップＳ１０２に戻る。
【００７９】
一方、シャッタースイッチＳＷ１（６２）が押されている場合、システム制御回路５０は、測距処理及び合焦処理を行って撮影レンズ３１０の焦点を被写体に合わる。続いて、測光処理を行って絞り値およびシャッター速度を決定する焦点調節・測光処理を行う（ステップＳ１１４）。測光の結果、必要であればフラッシュフラグをセットし、フラッシュの設定も行う。このステップＳ１１４で行う焦点調節・測光処理の詳細は図６を参照して後述する。
【００８０】
焦点調節・測光処理（ステップＳ１１４）を終えるとステップＳ１１５に進み、シャッタースイッチＳＷ２（６４）が押されているか否かを判別する（ステップＳ１１５）。シャッタースイッチＳＷ２（６４）が押されていない場合、シャッタースイッチＳＷ１（６２）が離されたか否かを判別する（ステップＳ１１６）。シャッタースイッチＳＷ１（６２）が離されるか、シャッタースイッチＳＷ２（６４）が押されるまで、ステップＳ１１５およびステップＳ１１６の処理を繰り返す。ステップＳ１１６でシャッタースイッチＳＷ１（６２）が離された場合、ステップＳ１０２に戻る。
【００８１】
一方、ステップＳ１１５でシャッタースイッチＳＷ２（６４）が押されると、システム制御回路５０は、撮影した画像データを記憶可能な画像記憶バッファ領域がメモリ３０にあるか否かを判別する（ステップＳ１２６）。メモリ３０の画像記憶バッファ領域内に新たな画像データの記憶可能な領域が無いと判別された場合、通知部５４を用いて画像や音声により所定の警告を行った後（ステップＳ１２７）、ステップＳ１０２の処理に戻る。
【００８２】
なお、メモリ３０の画像記憶バッファ領域内に新たな画像データの記憶可能な領域が無い場合とは、例えば、以下の様な状況が考えられる。メモリ３０の画像記憶バッファ領域内に記憶可能な最大枚数の連写撮影を行った直後で、メモリ３０から読み出して記憶媒体２００或いは２１０に書き込むべき最初の画像がまだ記憶媒体２００或いは２１０に記録終了していないことがある。この様な場合には、１枚分の空き領域もメモリ３０の画像記憶バッファ領域上に確保できない。
【００８３】
なお、撮像した画像データを圧縮処理してからメモリ３０の画像記憶バッファ領域に記憶する場合、圧縮後の画像データ量が圧縮モードの設定に応じて異なることを考慮する必要がある。そして、記憶可能な領域がメモリ３０の画像記憶バッファ領域上にあるか否かをステップＳ１２６の処理で判断することになる。
【００８４】
メモリ３０に新たな画像データを記憶可能な領域があると判別された場合は、ステップＳ１２８へ移行する。
【００８５】
ステップＳ１２８では、システム制御回路５０は撮影処理を実行する。この撮影処理では、所定時間蓄積した撮像信号を撮像素子１４からＡ／Ｄ変換器１６、画像処理回路２０およびメモリ制御回路２２を介して、或いはＡ／Ｄ変換器１６から直接メモリ制御回路２２を介して、メモリ３０の所定領域に撮影した画像データを書き込む。なお、ここで行われる撮影処理の詳細については、図７を参照して後述する。
【００８６】
ステップＳ１２８の撮影処理を終えると、システム制御回路５０は、メモリ３０の所定領域に書き込まれた画像データの一部をメモリ制御回路２２を介して読み出す。そして、現像処理を行うために必要なシェーディング補正係数を演算する（ステップＳ１２９）。そして、演算結果をシステム制御回路５０の内部メモリあるいはメモリ５２に記憶する。
【００８７】
更に、システム制御回路５０は、メモリ制御回路２２、そして必要に応じて画像処理回路２０を用いて、メモリ３０の所定領域に書き込まれた画像データを読み出す。そして、システム制御回路５０の内部メモリあるいはメモリ５２に記憶したステップＳ１２８の演算結果を用いて、シェーディング補正やオートホワイトバランス（ＡＷＢ）処理、ガンマ変換処理、色変換処理を含む各種現像処理を行う（ステップＳ１３０）。
【００８８】
更に、システム制御回路５０は、ステップＳ１３０で処理された画像データに対して、設定されたモードに応じた画像圧縮処理を圧縮・伸長回路３２により行う。そして、メモリ３０の画像記憶バッファ領域の空き画像部分に、一連の処理を終えた画像データの書き込みを行う（ステップＳ１３１）。
【００８９】
次に、システム制御回路５０は、メモリ３０の画像記憶バッファ領域に記憶された処理済みの画像データを読み出す。そして、インタフェース９０または９４、コネクタ９２または９６を介して、メモリカードやコンパクトフラッシュ（登録商標）カード等の記録媒体２００または２１０に読み出した画像データを書き込む記録処理を開始する（ステップＳ１３２）。この記録開始処理は、メモリ３０の画像記憶バッファ領域の空き画像部分に、撮影して一連の処理を終えた画像データの書き込みが新たに行われる度に、その画像データに対して実行される。
【００９０】
なお、記録媒体２００、２０１に画像データの書き込みを行っている間、書き込み動作中であることを示すために、通知部５４に例えばＬＥＤを点滅させる等の記録媒体書き込み動作表示を行う。
【００９１】
さらに、システム制御回路５０は、シャッタースイッチＳＷ１が押されているか否かを判別する（ステップＳ１３３）。シャッタースイッチＳＷ１が放された状態である場合、ステップＳ１０２の処理に戻る。一方、シャッタースイッチＳＷ１が押された状態である場合、ステップＳ１１５の処理に戻って次の撮影に備える。これにより、撮影に関する一連の処理が終了する。
【００９２】
図４は、図２のステップＳ１１０で行われるライブビュー表示処理を示すフローチャートである。なお、システム制御回路５０と、絞り制御部３４０あるいはフォーカス制御部３４２との間の各種信号のやり取りは、インタフェース１２０、コネクタ１２２及び３２２、インタフェース３２０およびレンズシステム制御回路３５０を介して行われる。
【００９３】
システム制御回路５０は、ミラー１３０をミラー駆動部（不図示）によってミラーアップ位置に移動させ（ステップＳ５０１）、シャッター制御部４０によってシャッター１２を開く（ステップＳ５０２）。
【００９４】
システム制御回路５０は、内部メモリあるいはメモリ５２に記憶されたゲイン設定値と操作部７０によるゲイン設定に従ってライブビュー表示のゲインを設定する（ステップＳ５０３）。更にシステム制御回路５０は、内部メモリあるいはメモリ５２に記憶された絞り値と操作部７０の設定により絞り値を設定し、絞り制御部３４０によって絞り３１２を設定された絞り値まで駆動する（ステップＳ５０４）。
【００９５】
さらにシステム制御回路５０は、内部メモリあるいはメモリ５２に記憶されたフレームレート（ライブビューにおける表示画像の更新周期）の設定値と撮像信号レベルによってフレームレートを設定する。例えば撮像信号が所定値より低い場合は、フレームレートを遅くする設定を行う。なお、ライブビュースタート時にはデフォルトのフレームレートが設定される（ステップＳ５０５）。
【００９６】
フレームレートの設定が済むと、撮像素子１４の電荷蓄積を開始する（ステップＳ５０６）。そして設定されたフレームレートに基づき決定された時間経過を待ち（ステップＳ５０７）、時間が経過すると、蓄積した電荷（画像信号）の読み出しを行う（ステップ５０８）。読み出された画像信号は現像処理され（ステップ５０９）、画像表示２８に表示される（ステップＳ５１０）。
【００９７】
また、本実施形態では電荷の蓄積時間（シャッタースピード）をフレームレートに基づき決定しているが、フレームレートよりも高速であれば蓄積時間（シャッタースピード）は任意に設定できるようにしてもよい。
【００９８】
そして、ライブビューモードが継続して設定されているかを検出し（ステップＳ５１１）、設定されていれば、再びステップＳ５０３の操作部材によるゲイン設定検出に戻り、一連の動作が繰り返し行われる。
【００９９】
ステップＳ５１１でライブビューモードの設定が中断あるいは終了した場合、シャッター１２を閉じ（ステップＳ５１２）、ミラー１３０をミラーダウン位置に駆動（ステップＳ５１３）する。
【０１００】
次に、ライブビュー表示の電荷の蓄積時間、ライブビューゲイン設定値、絞り３１２の絞り値から、静止画撮影時の撮影レンズの絞り値（Ａｖ値）、シャッタースピード（Ｔｖ値）、ゲインを演算する。
演算した結果は、システム制御回路５０の内部メモリあるいはメモリ５２にＡＥ_ｌｖとして保存する（ステップＳ５１４）。
【０１０１】
上記処理が終了すると、一連のライブビューモードのシーケンスを終了し、図２のステップＳ１０２に戻る。
【０１０２】
ここで、ステップＳ５１４で演算されるシャッタースピード（Ｔｖ値）について説明する。
【０１０３】
例えば、ライブビュー時のフレームレートが５フレーム／秒、表示ゲインを×２５６に使用者が設定し、また、静止画撮影時のゲインを×１に設定する場合、演算されるシャッタースピードは約５０秒（＝１（秒）／５（フレーム）×２５６（ゲイン））となる。
【０１０４】
またライブビューモード中に撮影者が、ライブビュー表示を見ながら意図する露出になるように、操作部７０によりライブビューゲインと、絞り値或いはフレームレートを変更すると、ステップＳ５０３及びＳ５０４でライブビュー表示に反映される。
【０１０５】
図５は、天体撮影においてライブビュー表示においてゲインを変更する場合の概念を説明する図である。
【０１０６】
図５において、（ａ）はライブビュー表示においてゲインが最も低い場合に表示された画像であり、（ｂ）はゲインが最も高い場合に表示された画像である。撮影者は、操作部７０を用いて、（ａ）と（ｂ）の間の所望の明るさとなるようにゲインを変更することができる。（ｃ）は、撮影者により所望の明るさとなるようにゲインが変更された場合の画像である。
【０１０７】
図６は、図３のステップＳ１１４における焦点調節・測光処理の詳細なフローチャートを示す。なお、システム制御回路５０と、絞り制御部３４０あるいはフォーカス制御部３４２との間の各種信号のやり取りは、インタフェース１２０、コネクタ１２２及び３２２、インタフェース３２０およびレンズシステム制御回路３５０を介して行われる。
【０１０８】
先ず、システム制御回路５０は、ＡＦモードが設定されているかを判断し（ステップＳ７０１）、ＡＦモードが設定されていなければ、ステップＳ７０５に移行する。
【０１０９】
ＡＦモードが設定されていれば、撮像素子１４、焦点調節部４２およびフォーカス制御部３４２を用いて、ＡＦ（オートフォーカス）処理を開始する（ステップＳ７０２）。
【０１１０】
システム制御回路５０は、撮影レンズ３１０に入射した光線を、絞り３１２、レンズマウント３０６、１０６、ミラー１３０、焦点調節用サブミラー（図示せず）を介して、焦点調節部４２に入射させる。これにより、光学像として結像された画像の合焦状態を判断する。そして、合焦と判断されるまで、フォーカス制御部３４２を用いて撮影レンズ３１０を駆動しながら、焦点調節部４２を用いて合焦状態を検出するＡＦ制御を実行する（ステップＳ７０３、Ｓ７０４）。
【０１１１】
ステップＳ７０３で合焦と判断されると、システム制御回路５０は、測光制御部４６を用いてＡＥ（自動露出）演算処理を開始する（ステップＳ７０５）。システム制御回路５０は、絞りを開放し、撮影レンズ３１０に入射した光線を、絞り３１２、レンズマウント３０６、１０６、ミラー１３０、１３２および測光用レンズ（図示せず）を介して、測光制御部４６に入射させる。これにより、光学像として結像された画像の輝度を測定する。そして、露出状態が所定レベル以上かどうかを判断（ステップＳ７０７）する。所定レベル以上であれば測光ＯＫと判断し、システム制御回路５０は、測光データに基づいてシャッタースピード（Ｔｖ）及び絞り値（Ａｖ）を算出する。そして、システム制御回路５０の内部メモリあるいはメモリ５２に静止画撮影に用いる露出値（ＡＥ値）として記憶する（ステップＳ７０８）。
【０１１２】
また所定レベル以下あれば、被写体が測光限界以下の輝度であると判断し、ライブビュー表示中に図４のステップＳ５１４で演算した露出演算値（ＡＥ_ｌｖ）に基づいてシャッタースピード（Ｔｖ）及び絞り値（Ａｖ）を算出する。ここでＡＥ_ｌｖはゲインを×１として演算されているため、静止画撮影で設定されているゲインに応じてＴｖ値の補正を行う。そして、算出したシャッタースピード（Ｔｖ）及び絞り値（Ａｖ）を露出値（ＡＥ）として記憶する（ステップＳ７０９）。
【０１１３】
例えば、ＡＥ_ｌｖとして×４が設定されている場合、シャッター速度（Ｔｖ値）は１／４倍に補正される。
【０１１４】
ここで、決定されたシャッター速度（Ｔｖ値）に応じて、システム制御回路５０は、撮影処理で用いる撮像素子１４の電荷蓄積時間を決定する。
【０１１５】
図７は、図３のステップＳ１２８における撮影処理の詳細なフローチャートを示す。なお、システム制御回路５０と、絞り制御部３４０あるいはフォーカス制御部３４２との間の各種信号のやり取りは、インタフェース１２０、コネクタ１２２及び３２２、インタフェース３２０およびレンズシステム制御回路３５０を介して行われる。
【０１１６】
システム制御回路５０は、ミラー１３０をミラー駆動部（図示せず）によってミラーアップ位置に移動させる（ステップＳ３０１）。そして、図６のステップＳ７０８でシステム制御回路５０の内部メモリあるいはメモリ５２に記憶された露出値（ＡＥ値）に従って、絞り制御部３４０によって絞り３１２を駆動する（ステップＳ３０２）。
【０１１７】
システム制御回路５０は、撮像素子１４の電荷クリア動作を行った後（ステップＳ３０３）、撮像素子１４の電荷蓄積を開始する（ステップＳ３０４）。更に、シャッター制御部４０によってシャッター１２を開き（ステップＳ３０５）、撮像素子１４の露光を開始する（ステップＳ３０６）。
【０１１８】
そして、フラッシュフラグがセットされているかをチェックしてフラッシュ４８が必要であるか否かを判別し（ステップＳ３０７）、必要な場合にはフラッシュ４８を発光させる（ステップＳ３０８）。
【０１１９】
システム制御回路５０は、測光データに従って撮像素子１４の露光終了を待ち（ステップＳ３０９）、露光が終了すると、シャッター制御部４０によってシャッター１２を閉じ（ステップＳ３１０）、撮像素子１４の露光を終了する。
【０１２０】
システム制御回路５０は、絞り制御部３４０によって絞り３１２を開放の絞り値まで駆動し（ステップＳ３１１）、ミラー１３０をミラー駆動部（不図示）によってミラーダウン位置に移動させる（ステップＳ３１２）。
【０１２１】
次に、設定した電荷蓄積時間が経過したか否かを判別し（ステップＳ３１３）、設定した電荷蓄積時間が経過した場合、システム制御回路５０は撮像素子１４の電荷蓄積を終了し（ステップＳ３１４）、撮像素子１４から蓄積した電荷（画像信号）を読み出す。そして、Ａ／Ｄ変換器１６、画像処理回路２０、メモリ制御回路２２を介して、或いはＡ／Ｄ変換器１６から直接、メモリ制御回路２２を介して、メモリ３０の所定領域に撮影して得た画像データを書き込む（ステップＳ３１５）。一連の処理を終了すると、撮影処理ルーチンを終了して、メインの処理に戻る。
【０１２２】
図５（ｄ）は、図６のステップＳ７０７で被写体の輝度が低いと判断され、ライブビューモードで得られた露出演算値（ＡＥ_ｌｖ）に基づいて求めた露出値（ＡＥ）を用いて撮影を行った場合の静止画の例を示す。図５（ｄ）に示すように、撮影者が所望する明るさとなるようにゲイン及び絞り値が変更された図５（ｃ）のような画像を得ることができる。
【０１２３】
なお、本発明は上述した実施の形態の構成に限られるものではなく、特許請求の範囲で示した機能、または実施の形態の構成が持つ機能が達成できる構成であれば、どのようなものであっても適用可能である。
【０１２４】
例えばライブビューモード時のフレームレートを固定としているが、可変としてもよい。また、ライブビューモード時に演算されたシャッタースピードや絞り値を表示するのみとしてもよい。この場合、撮像装置がシャッタースピード及び絞り値をマニュアルで設定可能な場合、撮影者は表示された値に基づいて設定することが可能となる。
【０１２５】
さらに、ライブビューモード時に演算されたシャッタースピードをデフォルトとして記憶し、使用者がそれに対する補正を行って静止画撮影のシャッタースピードをしてもよい。
【０１２６】
また、上記実施の形態では、撮影を行う場合にライブビューモードから撮影モードに切り換える場合について説明した。しかしながら、ライブビューモード時にシャッターボタンが押された場合に、図３のステップＳ１１４の処理に進むように構成しても構わない。その場合、ＳＷ１がＯＦＦとなったり、メモリ３０に問題があった場合には、図４の処理に戻るようにすればよい。
【０１２７】
また、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【０１２８】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【０１２９】
本発明を上記記憶媒体に適用する場合、その記憶媒体には、先に説明した図２〜図４および図６、図７に示すフローチャートに対応するプログラムコードが格納されることになる。
【図面の簡単な説明】
【０１３０】
【図１】本発明の実施の形態における撮像装置の構成を示すブロック図である。
【図２】本発明の実施の形態における主ルーチンの一部を示すフローチャートである。
【図３】本発明の実施の形態における主ルーチンの一部を示すフローチャートである。
【図４】本発明の実施の形態におけるライブビュー表示処理を示すフローチャートである。
【図５】本発明の実施の形態におけるライブビュー表示及び撮影された静止画の概念を示す図である。
【図６】本発明の実施の形態における焦点調節・測光ルーチンのフローチャートである。
【図７】本発明の実施の形態における撮影ルーチンのフローチャートである。
【符号の説明】
【０１３１】
１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮・伸長回路、４０：シャッター制御部、４２：焦点調節部、４４：温度計、４６：測光制御部、４８：フラッシュ、５０：システム制御回路、５２：メモリ、５４：通知部、５６：不揮発性メモリ、６０：モードダイアルスイッチ、６２：シャッタースイッチＳＷ１、６４：シャッタースイッチＳＷ２、６６：再生スイッチ、６８：単写／連写スイッチ、６９：ＩＳＯ感度スイッチ、７０：操作部、７２：電源スイッチ、８０：電源制御部、８２、８４：コネクタ、８６：電源、９０、９４：入出力Ｉ／Ｆ、９２、９６：コネクタ、９８：記録媒体着脱検知部、１００：カメラ本体、１０６：レンズマウント、１１０：通信回路、１１２：コネクタ（アンテナ）、１２０：インタフェース、１３０、１３２：ミラー、２００、２１０：記録媒体、２０２、２１２：記録部、２０４、２１４：Ｉ／Ｆ、２０６、２１６：コネクタ、３００：レンズユニット、３１０：撮像レンズ、３１２：絞り、３０６：レンズマウント、３２０：Ｉ／Ｆ、３２２：コネクタ、３４０：絞り制御部、３４２：フォーカス制御部、３４４：ズーム制御部、３５０：レンズシステム制御回路
【図１】
0004750616.tif 000002
【図２】
0004750616.tif 000003
【図３】
0004750616.tif 000004
【図４】
0004750616.tif 000005
【図５】
0004750616.tif 000006
【図６】
0004750616.tif 000007
【図７】
0004750616.tif 000008